(57)【要約】  本発明は、内側のカニューレ（４）と外側の中空管（１）、外側の中空管に取り外し可能に取り付けることができるハンドル（７）、外側の中空管内に内側のカニューレおよび／またはアテニュエーターを固定するためのロッキングシステムよりなり、そして外側の中空管の先端が楕円形であり、内側のカニューレを超えて伸長し、後者が鈍い刃先で終結することを特徴とする、生検装置に関する。外側の中空管の鈍い刃先が内側のカニューレの鋭い刃先と一緒になって、装置の刃先を決定する。内側のカニューレと外側の中空管の遠位末端が組み合わされて、再現可能な方法で生検深度、生検試料のサイズと形状を決定する。本発明の１つの実施態様において、内側のカニューレの長さを制御し、それにより前記の試料のパラメーターを所望通りに変えることができる。【選択図】  図２ａ
2012517836.tif 000002
【特許請求の範囲】
【請求項１】
刃先を有する内側のカニューレと、前記内側のカニューレを超えて伸長し、楕円形の刃先を有する外側の中空管とを有する生検装置のためのシステム。
【請求項２】
外側の中空管の先端が内側のカニューレの先端と一緒になって生検装置の刃先を構成する、請求項１に記載のシステム。
【請求項３】
外側の中空管の伸長した、楕円形の先端が更に、最遠位末端で鈍く、そして約１０〜３０°、とりわけ１５または２０°のベベル角度をもつことを特徴とする、請求項１に記載のシステム。
【請求項４】
外側の中空管の先端が、その外面のベベル面がその遠位末端で内面より高い角度を有し、とりわけ外面のベベル面の角度が約１１５°であるが、約１００°〜１２０°の範囲であってもよく、そしてなかでも１１７°であるように形成されている、請求項１に記載のシステム。
【請求項５】
内側のカニューレの刃先における外面のベベル面の角度が約２０°であるが、約１７〜２５°の範囲であってもよい、請求項１から４のいずれか１項に記載のシステム。
【請求項６】
外側の中空管が約１５，０〜２０，０ｃｍの長さ、とりわけ約１７，０ｃｍであり、そして場合により、外面に、試料採取中の装置の前進を測定するためのグレード評価システムを有する、請求項１から５のいずれか１項に記載のシステム。
【請求項７】
外側の中空管が約４，０〜６，０ｍｍの外径と、約３，０〜５，０ｍｍの内径を有し、特定の例においては外側の中空管が約５，０ｍｍの外径と約４，０ｍｍの内径を有する、請求項１から６のいずれか１項に記載のシステム。
【請求項８】
内側のカニューレ（針）の外径が外側の中空管（針）の内面にぴったり嵌合する、請求項１から７のいずれか１項に記載のシステム。
【請求項９】
内側のカニューレが、内側のカニューレの長さを所望の通りに調整することができるように、制御可能に装置内に配置されている、請求項１から８のいずれか１項に記載のシステム。
【請求項１０】
請求項１から９のいずれか１項に規定されたようなシステムを有し、外側の中空管に取り外し可能に取り付けられたハンドルおよび外側の中空管内に内側のカニューレを固定するためのロッキングシステムを有する生検装置。
【請求項１１】
ロッキングシステムが図９ａと９ｂに示されるロッキングシステムから選択される、請求項１０に記載の生検装置。
【請求項１２】
ハンドルが内側のカニューレ（針）のための圧力解放システム（１７）を有する、請求項１０または１１に記載の生検装置。
【請求項１３】
弁を有する、請求項１２に記載の圧力解放システム。
【請求項１４】
生検試料を収集する方法であって、
ａ．本発明の生検装置内にアテニュエーターまたはキャップを配置する工程、
ｂ．体内に生検装置を挿入する工程、
ｃ．生検装置の先端を試料採取面に配置する工程、
ｄ．生検装置からアテニュエーターまたはキャップを外す工程、そして場合によりアテニュエーターを内側のカニューレと交換し、
ｅ．内側のカニューレの先端で生検試料を切り取るために、試料採取面上に外側の中空管の先端を滑らせる工程、
ｆ．前記内側のカニューレから圧力を解放しながら、内側のカニューレ内に生検試料を採取する工程、
ｇ．身体から生検装置を引き抜く工程、そして
ｈ．生検試料を収集するために、生検装置の後部を開ける工程、
を含む、生検試料を収集する方法。
【発明の詳細な説明】
【技術分野】
【０００１】
本発明は生検試料採取、そしてとりわけ、例えば、ヒトまたは動物における硬い組織中のこのような試料採取のための装置に関する。本明細書に提供されるような生検装置は、更に具体的には、大腿骨顆または側方および内側顆間切痕の上内側縁または上外側縁の非荷重負荷部分におけるような軟骨組織を採取するためのものである。
【背景技術】
【０００２】
自家軟骨細胞移植（ＡＣＩ）は膝軟骨欠損をもつ患者の関節の軟骨を修復するための臨床的に関連した処置法である。この修復法は欠損部分中への成人の軟骨形成細胞の導入に基づく。これを達成するために、最初に軟骨細胞を、同一患者の傷害された膝の、僅かな荷重負荷領域から関節鏡で採取された、限定量の関節の軟骨から単離する。酵素消化により細胞を軟骨組織から遊離し、病巣の軟骨の欠損を満たすために十分な数の細胞が得られるまで、培地中で増殖させる。整形外科医により推奨される軟骨生検採取に最も一般的な部位は、大腿骨顆または側方および内側顆間切痕の上内側縁または上外側縁の非荷重負荷部分である。現在は、軟骨の部分層または全層の、２または３個の細長い小片を得るために、関節鏡の孔たがね（ｇｏｕｇｅ）またはリングキュレットが使用される。しかし、採取された軟骨の量は装置使用者の特徴により外科医間で著しくばらつく。
【０００３】
細胞の有効な製造を可能にするためには十分な出発材料が入手可能でなければならないために、細胞培養法において軟骨の採取法が重要な役割を果たす。他方では、採取される生検試料の量は、生検採取部位で形成される損傷のサイズを最少にするために、制限されなければならない。従って、制御された、一貫した生検試料採取法が極めて望まれる。
【０００４】
現在利用可能な生検装置は、その工程中に他の組織による汚染または生検試料を喪失する危険性を伴わずに一貫した軟骨の採取材料を与えるようには設計されていないか、あるいは特定の部位（例えば切痕）でのみ使用されるように制約されている。
【０００５】
このような標準的装置の一例は、図１に示されるようなＷｉｂｅｒｇ装置である。この装置は平らなハンドル、長い首部分および末端に鋭い刃のスクープをもつ、再使用可能なステンレス鋼の器具である。スクープを軟骨中に挿入し、次に軟骨組織を通して器具を押し、小刻みに動かし生検片を得ることにより生検試料を採取する。この器具により得られる生検試料の量は極めて使用者に左右され、そして標準化がない。同一外科医（使用者）によっても、長期間の経験にも拘わらず、一貫した再現性がないことが認められてきた。更に、組織の深度および長さに対して制御が与えられないために、その装置は使用者に使いやすくはない。更に、試料が装置内に捕捉されないので、関節鏡処置中に生検を喪失する危険を有する。その結果、軟骨の試料を得るために、時間がかかる、困難な「削り」運動を使用する必要がある。
【０００６】
他の例はＳｔｏｒｚ器具である。この装置は軟骨試料と骨軟骨層の一部の双方を含んでなる小円形の試料を切り取る「パンチ」機構を使用する。それは軟骨層に垂直な角度で使用され、骨軟骨層のみならずまた、層全体を通して切り取る  −  器具の内部に試料を回収する。この軟骨採取装置は特に切痕の生検を得るように設計されており、この部位でのみ使用することができ、主としてドイツの市場で使用されている。しばしば、試料採取中に、軟骨とともに「切り取られる」、汚染性の軟骨下の骨の塊を含む、ごく僅かな、限定量の生検材料を採取することができる。
【０００７】
以下の点、
−  とりわけ側部および内側顆間切痕をもつ膝関節内のすべての部位に適用できる（関節鏡の到達可能性）、
−  制御された、一貫した生検試料採取法を可能にする、
−  処置中に、他の組織による汚染または生検を喪失する危険を伴わずに一貫した軟骨採取材料を与える：
において前記の問題に対処する生検装置を提供することが本発明の具体的な目的である。
【０００８】
従って、膝関節内のすべての部位で採取することができる、他の組織による汚染を伴わない、幅と高さの一貫した生検を提供することが本発明の一般的な目的である。
【図面の簡単な説明】
【０００９】
次に、特に図面を詳細に参照して、示される事項は、例によりそして本発明の異なる実施態様の説明的な考察の目的のみのためであり、本発明の原理および概念的態様の最も有用で、容易な説明であると考えられるものを提供するために提示されることが強調される。これに関し、発明の基本的理解のために必要である以上に詳細に、発明の構造的詳細を示すことは試みられず、図面により実施された説明は、発明の幾つかの形態が実際にどのように具体化されることができるかを当業者に明白にさせる。
【図１】図１は先行技術の生検装置を示す。
【図２ａ−２ｂ】図２ａと２ｂは発明に従う生検装置の実施態様を示す。
【図３】図３は発明に従う生検装置の内側のカニューレ（５）と外側の中空管（１）の先端の詳細を示す。
【図４】図４は発明に従う外側の中空管の１つの態様を示す。
【図５】図５は、外側の中空管（１）上に適用されるグレード評価システム（９）、外側の中空管中に挿入されたアテニュエーター（１５）、先端を切り取った円錐の先端（５）をもつ内側のカニューレ（４）および内側のカニューレから生検試料を取り外すための装置のスティック（１６）を示す。
【図６】図６は発明に従う内側のカニューレの１つの態様を示す。
【図７】図７は発明に従う生検装置の切り取り深度を表す。
【図８ａ−ｃ】図８ａ〜ｃは、ハンドルに適用される圧力解放システム（１８）（ａ：開放、ｂ，ｃ：弁）を提供する、発明に従う生検装置の１つの態様を表す。採取後に内側のカニューレから試料を取り出すための装置（切り取られた先端をもつ白色の針（１６））、体内へ装置を挿入する時に本発明のシステムを閉鎖するためのハンドル（２０）をもつアテニュエーター（鋭い先端をもつ白色の針（１５）あるいはアテニュエーターは装置を体内へ挿入する時に装置を閉鎖し、そして内側のカニューレ中に引き込み可能なキャップよりなる。）
【図９ａ−９ｃ】図９ａ、９ｂおよび９ｃは、内側のカニューレと外側の中空管を配置するため、そして使用時にハンドルを閉鎖するためのロッキングシステム（１４）の態様を示す。
【図１０−１１】図１０および１１は内側のカニューレ（４）の近位のハンドル（７）における穴のあいた凹みよりなる圧力解放システム（１７）を提供する、発明に従う生検装置の態様を示す。
【図１２】図１２は、内側のカニューレ（針）が先端を切り取ったピラミッド状の刃先を有する装置の正面図を示す。
【図１３】図１３は発明に従う生検装置の１つの態様を示す。
【発明の詳細な説明】
【００１０】
本発明の生検装置は、それが以下：
１）欠損のサイズに対応して生検の長さ（形状とサイズ）を制御し、選択する能力、
２）とりわけ側部と内側顆間切痕を伴う膝関節内のすべての部位における標準的生検試料採取の能力、
３）患者の安全性および非軟骨形成細胞による生成物の汚染による骨軟骨の欠損を回避する能力、
４）最少の組織損傷を伴う生検針中への軟骨の挿入、
５）喪失の危険を最少にするための生検試料の捕捉室、
６）装置の測定可能な、可視的配置、
７）使用者に使いやすく、安全な使用法、
８）汚染および／または感染の危険を減少し、そしてその鋭さを維持するための１回限りの使用、
を提供する点で、前記の先行技術の装置に伴う問題を解決する。
【００１１】
本発明は、内側のカニューレ（４）と外側の中空管（１）、外側の中空管に取り外し可能に取り付けることができるハンドル（７）、使用時にハンドルを閉鎖し、そして場合によりハンドル（２０）をもつ内側のカニューレまたはアテニュエーター（１５）を生検装置内に固定するためのロッキングシステム（１４）、を含んでなり、そして外側の中空管の先端（２）が楕円形であり、そして内側のカニューレを超えて伸長し（図３）、その後者が例えば、先端を切り取った円錐または先端を切り取ったピラミッドのような刃先（５）を有する（図６）ことを特徴とする、図２ａ、２ｂ、７、８ａ、８ｂ、９ｂ、１２および１３に示されるような生検装置に関する。本発明の生検装置は、自家軟骨細胞移植（ＡＣＩ）処置またはあらゆるその他の生検削り取り法に特に適する。
【００１２】
従って、本発明は、先端を切り取った円錐または先端を切り取ったピラミッドのような刃先をもつ内側のカニューレと、前記内側のカニューレを超えて伸長する外側の中空管とを含んでなり、前記外側の中空管が楕円形の刃先をもつ、生検装置のためのシステムを提供する。
【００１３】
本明細書で使用されるような内側のカニューレと外側の中空管は、典型的には金属、例えばステンレス鋼またはフェライト以外の金属でできた針よりなる。概してステンレス鋼またはその他の錆びない金属、例えば医療等級のステンレス鋼でできた内側のカニューレと外側の中空管が提供されることが好ましい。
【００１４】
図４は発明に従う外側の中空管の１つの態様を示す。外側の中空管（１）は、外側の中空管の先端とハンドルの間で測定されて、約１５，０〜２０，０ｃｍの長さ、とりわけ約１７，０ｃｍである。
【００１５】
外側の中空管は約４，０〜６，０ｍｍの外径と、約３，０〜５，０ｍｍの内径とを有する。特定の例において、外側の針は約５，０ｍｍの外径と、約４，０ｍｍの内径を有する。
【００１６】
外側の中空管は場合により、外面上に、採取中の装置の前進を測定するためのグレード評価システム（９）を含んでなる。特定の態様において、レーザーマーキングは１０ｍｍ
毎に適用されている（図５）。
【００１７】
外側の中空管（１）の伸長した楕円形の先端（２）は更に、それが最も遠位の末端（３）において鈍く、約１０〜３０°、とりわけ１５°または２０°（１９）のベベル角度を有することを特徴とする。外側の中空管のこの先端（３）は内側のカニューレの鋭い刃先（６）と一緒になって、装置の刃先（３、５）を構成するであろう（図４と６参照）。
【００１８】
従って、これらの要素が生検深度、生検試料のサイズと形態を決定するであろう。外側の中空管の先端は試料採取部位における装置の正確な配置を助ける。従って、その遠位末端で外面のベベル面（１０）が内面より高い角度を有するように、外側の中空管の先端が高い精度をもって形成されることが重要である。外面のベベル面の角度は適切には１１５°であるが、約１００°〜１２０°の範囲であってもよく、とりわけ１１７°である。
【００１９】
図６は発明に従う内側のカニューレ（４）の１つの態様を示す。外側の中空管の鈍い先端に対するように、内側のカニューレ（針）の刃先における外面のベベル面（１１）の角度は適切には２０°であるが、約１７〜２５°の範囲であってもよい。内側のカニューレ（針）の内面のベベル面（１３）の角度は適切には５°であるが、約３〜８°の範囲であってもよい。
【００２０】
従って、内側のカニューレ（針）の円錐／ピラミッド部分は約３〜８°のベベル角度を有し、そしてとりわけ５°である。
【００２１】
内側のカニューレの刃先の位置は、外側の中空管の先端と一緒になって、生検装置の切り取り深度を決定する。内側のカニューレの先端（刃先）が外側の中空針の先端に比較して、より引き込まれている時は、切り取り深度は減少するであろう。内側のカニューレの先端（刃先）がより前進している時は、切り取り深度は増加するであろう。
【００２２】
本発明の特定のＡＣＩ適用において、内側のカニューレは外側の中空針の最遠位末端から約３，０〜５，０ｍｍ、更にとりわけ約３，４〜４，０ｍｍの近位に固定されている。前記態様において、切り取り深度は約２，０〜２，５ｍｍ、とりわけ約２，４ｍｍの厚さである。例えば図７、８ａと８ｂ、９ａ、９ｂ、９ｃおよび１３に示されるような本発明の１つの態様において、装置の後部末端は外側の中空管に対して内側のカニューレおよび／またはアテニュエーター（１５）を配置し、固定するため、そして使用時にハンドルを閉鎖するためのロッキングシステム（１４）をもつであろう。ロッキングシステムのデザインに応じて、その装置は更に、図１３に示されるように、装置上にロッキングシステム（１４）を配置しそして／または取り付けるための固定ピン（２１）および／またはねじ（２２）を含むことができる。この態様において、そして例えば図８ｂ，１０および１１に示されるように、内側のカニューレと外側の中空管は好ましくは、相互に統合された部品を形成する、すなわち単一の部品よりなる。
【００２３】
本発明の代わりの、更なる態様において、内側のカニューレは、外側の中空管内の内側のカニューレの長さを所望通りに調整することができるが、外側の中空管の最遠位末端を超えては伸長しないように、装置内に調節可能に配置されている。内側のカニューレの先端の位置の、例えば、回転ノブによるような調整により、切り取り深度は約１，０〜４，０ｍｍの範囲にあることができ、典型的には約１，２〜２，８ｍｍの厚さ、特定の態様においては２，１ｍｍの厚さである（図７）。
【００２４】
内側のカニューレ（針）（４）の外径は、それが外側の中空管の内面にぴったり嵌合するようなものであるべきである。従って、それは４，０〜６，０ｍｍの範囲内にあり、そしてとりわけ約４，０ｍｍの外径をもつ。内側のカニューレ（針）の内径は約３，０〜５
，０ｍｍの範囲にあり、そしてとりわけ約３，０ｍｍの内径を有する。
【００２５】
生検試料は内側のカニューレ（針）内に捕捉されるので、試料採取工程中に圧力を解放（管中の生検材料上に最少の圧力がかかるように）させ、そして試料採取後に収集試料の回収を可能にするために、開口部（８）（図９ａ、９ｂ）が前記カニューレ（針）の先端にあることが必要である。この開口部は典型的には、内側のカニューレ（針）の近位末端のハンドルの統合部分である。特定の態様において、ハンドルは内側のカニューレ（針）からの圧力解放のための弁を備える。図８ｂは、ハンドルに適用された弁（１８）（詳細は図８ｃ）を備える本発明に従う生検装置の１つの態様を表す。更なる態様において、ハンドルは、マニピュレーターの指先で内側のカニューレ（針）からの圧力解放を制御するための穴のあいた凹み（１７）を提供する。
【００２６】
前記の、装置の後部末端に、一方で、そして前記に説明されたように、体内に装置を挿入する時に生検装置内に内側のカニューレ（４）またはアテニュエーター（１５）を固定するために、そして他方で、使用時にハンドルを閉鎖するために、ロッキングシステム（１４）が設けられている。管内にカニューレをロックするための、あらゆる当該技術分野で知られたロッキングシステムを使用することができる。外側の中空管のハンドルに嵌合する内側のカニューレのノブの例は、図８ａ、９ａ、９ｂ、９ｃおよび１３に提供されている。
【００２７】
装置のハンドル（７）は人間工学的に手に収まるようになっている。図２ａに示すような１つの態様において、平らな面を指と親指で包むように手のひら中に丸い面を置くことができる。図２ｂの他の態様において、ハンドルは更に平らな形状をもち、試料採取工程中に圧力解放を可能にする（管中の生検材料に対して最少の圧力がかかるように）ために穴のあいた凹み（１７）を含んでなることができる。その材料は手中で暖かく、快適に感じるようなものでなければならない。更に、そして好ましくは、その材料は滅菌中の蒸気温度に抵抗することができなければならない。滅菌可能な材料は好ましくはプラスチック材料、例えばポリカーボネートまたはポリアセタール（例えばエルトアセタール（ｅｒｔａｃｅｔａｌ））でできている。
【００２８】
本発明は更に、以下の工程：
ａ）本発明の生検装置内にアテニュエーターまたはその上にキャップを配置し、
ｂ）生検装置を体内に挿入し、
ｃ）生検装置の先端を試料採取面に配置し、
ｄ）生検装置からアテニュエーターまたはキャップをはずし、そして場合によりアテニュエーターを内側のカニューレと交換し、
ｅ）内側のカニューレの先端で生検試料を切り取るために、試料採取面上に外側の中空管の先端を滑らせ、
ｆ）前記の内側のカニューレから圧力を解放しながら、内側のカニューレ内に生検試料を採取し、
ｇ）身体から生検装置を引き抜き、そして
ｈ）生検試料を生検装置から押し出すために、生検装置の後部を開放する、工程
を含んでなる、生検を実施する方法を提供する。
【００２９】
本発明が前記の説明された態様の詳細に限定されず、そして本発明がその精神または本質的属性から逸脱せずに他の特定の形態に具現化されることができることは当業者に明白であろう。従って、本発明の態様はすべての観点において説明的であり、限定するものではないと考えられ、本発明の範囲は前記の説明によるよりむしろ添付の請求項により示され、そして、従って請求項の同等物の意味および範囲内に入るすべての変更物が本発明内に包含されることが意図される。
【図２ｂ】
2012517836.tif 000003
【図３】
2012517836.tif 000004
【図１】
2012517836.tif 000005
【図２ａ】
2012517836.tif 000006
【図４】
2012517836.tif 000007
【図５】
2012517836.tif 000008
【図６】
2012517836.tif 000009
【図７】
2012517836.tif 000010
【図８ａ】
2012517836.tif 000011
【図８ｂ】
2012517836.tif 000012
【図８ｃ】
2012517836.tif 000013
【図９ａ】
2012517836.tif 000014
【図９ｂ】
2012517836.tif 000015
【図９ｃ】
2012517836.tif 000016
【図１０】
2012517836.tif 000017
【図１１】
2012517836.tif 000018
【図１２】
2012517836.tif 000019
【図１３】
2012517836.tif 000020
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
刃先を有する内側のカニューレと、前記内側のカニューレを超えて伸長し、そして楕円形の刃先を有する外側の中空管とを有する生検装置のためのシステムであって、外側の中空管の伸長された、楕円形の先端がその最遠位末端で鈍いことを特徴とするシステム。
【請求項２】
外側の中空管の先端が内側のカニューレの先端と一緒になって生検装置の刃先を構成する、請求項１に記載のシステム。
【請求項３】
外側の中空管の、伸長された、楕円形の先端が、約１０〜３０°、とりわけ１５または２０°のベベル角度をもつ、請求項１に記載のシステム。
【請求項４】
外側の中空管の先端が、その外面のベベル面の角度が約１１５°であるが、約１００°〜１２０°の範囲であってもよく、そしてなかでも１１７°であるように形成されている、請求項１に記載のシステム。
【請求項５】
内側のカニューレの刃先における外面のベベル面の角度が約２０°であるが、約１７〜２５°の範囲であってもよい、請求項１から４のいずれか１項に記載のシステム。
【請求項６】
外側の中空管が約１５，０〜２０，０ｃｍの長さ、とりわけ約１７，０ｃｍであり、そして場合により、外面に、試料採取中の装置の前進を測定するためのグレード評価システムを有する、請求項１から５のいずれか１項に記載のシステム。
【請求項７】
外側の中空管が約４，０〜６，０ｍｍの外径と、約３，０〜５，０ｍｍの内径を有し、特定の例においては、外側の中空管が約５，０ｍｍの外径と約４，０ｍｍの内径を有する、請求項１から６のいずれか１項に記載のシステム。
【請求項８】
内側のカニューレ（針）の外径が外側の中空管（針）の内面にぴったり嵌合する、請求項１から７のいずれか１項に記載のシステム。
【請求項９】
内側のカニューレが、内側のカニューレの長さを所望の通りに調整することができるように制御可能に装置内に配置されている、請求項１から８のいずれか１項に記載のシステム。
【請求項１０】
請求項１から９のいずれか１項に規定されたようなシステムを有し、外側の中空管に取り外し可能に取り付けられたハンドルおよび外側の中空管内に内側のカニューレを固定するためのロッキングシステムを有する生検装置。
【請求項１１】
ハンドルが内側のカニューレ（針）のための圧力解放システム（１７）を有する、請求項１０に記載の生検装置。
【請求項１２】
圧力解放システムが弁を有する、請求項１１に記載の生検装置。
【請求項１３】
生検資料を収集する方法であって、
本発明の生検装置内にアテニュエーターまたはキャップを配置する工程、
体内に生検装置を挿入する工程、
試料採取面に生検装置の先端を配置する工程、
生検装置からアテニュエーターまたはキャップを外す工程、そして場合によりアテニュエーターを内側のカニューレと交換し、
内側のカニューレの先端で生検試料を切り取るために、試料採取面上に外側の中空管の先端を滑らせる工程、
前記内側のカニューレから圧力を解放しながら、内側のカニューレ内に生検試料を採取する工程、
身体から生検装置を引き抜く工程、そして
生検試料を収集するために、生検装置の後部を開ける工程、
を含む、生検試料を収集する方法。
【国際調査報告】
2012517836.tif 000021
2012517836.tif 000022
2012517836.tif 000023
2012517836.tif 000024
2012517836.tif 000025